(57)【特許請求の範囲】
【請求項１】
発電を行う発電部と、該発電部からその稼働状況を表す稼働状況データを取得し、取得した前記稼働状況データに基づいて、該発電部を制御する制御装置とを備えた発電装置の前記制御装置を診断する診断装置であって、
前記発電部が停止している状態で、前記制御装置に、前記稼働状況データを模擬した模擬稼働状況データを出力する模擬稼働状況データ出力手段と、
前記模擬稼働状況データが入力された前記制御装置から、前記発電部に対する制御内容を表す制御内容データを取得する制御内容データ取得手段と、
前記制御内容データ取得手段によって取得された前記制御内容データに基づいて、前記制御装置を診断する制御動作診断手段と、
前記制御動作診断手段の診断結果を出力する診断結果出力手段と、
前記発電部が稼働中に、前記発電装置から前記稼働状況データを、通信回線を介して受信する稼働状況データ受信手段と、
前記稼働状況データ受信手段によって受信された前記稼働状況データに基づいて、前記発電部を診断する発電動作診断手段と、
を備え、
前記制御内容データ取得手段が、前記稼働状況データ受信手段による前記稼働状況データの受信速度とは異なる受信速度で、前記制御内容データを通信回線を介して受信する、
診断装置。
【請求項２】
前記稼働状況データ受信手段によって受信された前記稼働状況データを記憶する記憶手段をさらに備え、
前記模擬稼働状況データ出力手段が、前記記憶手段に記憶された過去の前記稼働状況データを前記模擬稼働状況データとして前記制御装置に出力する、請求項１に記載の診断装置。
【請求項３】
前記発電動作診断手段の診断結果を診断項目別に記憶する診断結果記憶手段と、
ユーザから指定された診断項目に対応する診断結果を前記診断結果記憶手段から取得して出力する成績書出力手段と、
をさらに備えた請求項１又は２に記載の診断装置。
【請求項４】
発電を行う発電部と、該発電部からその稼働状況を表す稼働状況データを取得し、取得した前記稼働状況データに基づいて、該発電部を制御する制御装置とを備えた発電装置の前記制御装置を診断するためにコンピュータに、
前記発電部が停止している状態で、前記制御装置に、前記稼働状況データを模擬した模擬稼働状況データを出力する模擬稼働状況データ出力機能と、
前記模擬稼働状況データが入力された前記制御装置から、前記発電部に対する制御内容を表す制御内容データを取得する制御内容データ取得機能と、
取得した前記制御内容データに基づいて、前記制御装置を診断する制御動作診断機能と、
前記制御動作診断機能によって診断した結果を出力する診断結果出力機能と、
前記発電部が稼働中に、前記発電装置から前記稼働状況データを、通信回線を介して受信する稼働状況データ受信機能と、
前記稼働状況データ受信機能によって受信された前記稼働状況データに基づいて、前記発電部を診断する発電動作診断機能と、
を実現させ、
前記制御内容データ取得機能では、前記コンピュータに、前記稼働状況データ受信機能による前記稼働状況データの受信速度とは異なる受信速度で、前記制御内容データを通信回線を介して受信させる、
プログラム。
【請求項５】
発電を行う発電部と、該発電部からその稼働状況を表す稼働状況データを取得し、取得した前記稼働状況データに基づいて、該発電部を制御する制御装置とを備えた発電装置の前記制御装置を診断する診断方法であって、
前記制御装置に、模擬稼働状況データを入力する入力ステップと、
前記制御装置から、前記発電部に対する制御内容を表す制御内容データを取得する制御内容データ取得ステップと、
取得した前記制御内容データに基づいて、前記制御装置を診断する制御動作診断ステップと、
前記発電部が稼働中に、前記発電装置から前記稼働状況データを、通信回線を介して受信する稼働状況データ受信ステップと、
前記稼働状況データ受信ステップで受信した前記稼働状況データに基づいて、前記発電部を診断する発電動作診断ステップと、
を有し、
前記制御内容データ取得ステップでは、前記稼働状況データ受信ステップにおける前記稼働状況データの受信速度とは異なる受信速度で、前記制御内容データを通信回線を介して受信する、
診断方法。
【発明の詳細な説明】
【技術分野】
【０００１】
本発明は、発電装置を診断する診断装置、診断方法、及びプログラムに関する。
【背景技術】
【０００２】
ビル、工場、病院等には、商用電源に停電や電力不足が生じた際にバックアップ用電源として機能する発電装置が設置されている。発電装置は、非常時に確実に始動することが求められるため、定期的に保守診断される。
【０００３】
特許文献１〜４に、発電装置の保守診断の省人力化を図る技術が示されている。この技術では、発電装置を試験的に稼働させる。そして、発電装置から稼働状況を表すデータを取得し、取得したデータを予め登録しておいた正常状態の基準データと比較する。これにより、発電装置の発電動作の健全性の診断がなされる。
【先行技術文献】
【特許文献】
【０００４】
【特許文献１】特許第２５６３７７２号公報
【特許文献２】特開昭６１−２７３１３８号公報
【特許文献３】特開昭６２−１１３０７６号公報
【特許文献４】特開平６−０２２４７６号公報
【発明の概要】
【発明が解決しようとする課題】
【０００５】
発電装置の信頼性を高めるためには、その健全性を診断する頻度を高めることが必要である。しかし、診断のためには、発電装置を実稼働させる必要がある。このため、診断の頻度を高めると、化石燃料である発電用燃料の消費量が増える。また、発電用燃料の消費には、発電装置が備えるエンジンやガスタービン等の内燃機関からの排煙や騒音の発生が伴う。
【０００６】
特許文献１〜４の診断装置は、保守診断の省人力化は達成できても、診断のためには発電装置を稼働させることが必要であるため、上記問題を解決することはできない。
【０００７】
本発明の目的は、発電装置を実稼働させることなく、その発電装置の診断を行うことができる診断技術を提供することである。
【課題を解決するための手段】
【０００８】
本発明の診断装置は、
発電を行う発電部と、該発電部からその稼働状況を表す稼働状況データを取得し、取得した前記稼働状況データに基づいて、該発電部を制御する制御装置とを備えた発電装置の前記制御装置を診断する診断装置であって、
前記発電部が停止している状態で、前記制御装置に、前記稼働状況データを模擬した模擬稼働状況データを出力する模擬稼働状況データ出力手段と、
前記模擬稼働状況データが入力された前記制御装置から、前記発電部に対する制御内容を表す制御内容データを取得する制御内容データ取得手段と、
前記制御内容データ取得手段によって取得された前記制御内容データに基づいて、前記制御装置を診断する制御動作診断手段と、
前記制御動作診断手段の診断結果を出力する診断結果出力手段と、
前記発電部が稼働中に、前記発電装置から前記稼働状況データを、通信回線を介して受信する稼働状況データ受信手段と、
前記稼働状況データ受信手段によって受信された前記稼働状況データに基づいて、前記発電部を診断する発電動作診断手段と、
を備え、
前記制御内容データ取得手段が、前記稼働状況データ受信手段による前記稼働状況データの受信速度とは異なる受信速度で、前記制御内容データを通信回線を介して受信する。
【発明の効果】
【０００９】
模擬稼働状況データに対する制御内容データに基づいて診断を行うので、発電部を実稼働させることなく、制御装置の制御動作の健全性を診断することができる。
【図面の簡単な説明】
【００１０】
【図１】本発明の一実施形態による発電システムのブロック図である。
【図２】発電装置の制御装置と診断装置との外観図である。
【図３】診断装置が行う診断処理のフローチャートである。
【図４】診断装置の診断結果として出力される成績書の模式図である。
【発明を実施するための形態】
【００１１】
以下、本発明の実施形態に係る発電システムについて、図面を参照しながら説明する。図中、同一又は相当する部分に同一符号を付す。
【００１２】
図１に示すように、実施形態による発電システム１００は、発電装置１０と、診断装置２０とから構成されている。
【００１３】
発電装置１０は、発電を行う発電部１４と、この発電部１４の発電動作を制御する制御装置１５と、商用電源の停電を検知する停電検知器１８とを有する。発電部１４は、エンジン１１と、エンジン１１によって駆動される発電機１２と、発電機１２で生成された電力を負荷３に供給するための負荷送電ライン１３と、発電部１４の稼働状況を表す物理量を検出するセンサ群１４ａとを有する。
【００１４】
制御装置１５は、停電検知器１８からの停電検出信号により商用電源の停電を検知すると、エンジン１１を始動させる。エンジン１１は、発電機１２を回転駆動する。発電機１２は、エンジン１１から与えられる回転駆動のエネルギを電磁誘導によって電気エネルギに変換し、得られた電力を、負荷送電ライン１３を通じて、負荷３に送電する。
【００１５】
負荷３としては、例えば、ビル、工場、病院等の、エアコン、エレベータ、照明、スプリンクラー、防火シャッタ、各種報知器、排煙設備等が挙げられる。
【００１６】
負荷送電ライン１３には、この負荷送電ライン１３を流れる送電電流を監視するための変流器（ＣＴ：Current Transformer）１３ａ、及び送電電圧を監視するための変圧器（ＶＴ：Voltage Transformer）１３ｂが接続されている。送電電流は、変流器１３ａで変流されかつ電流／電圧変換されかつＡ／Ｄ変換されて、電流監視ライン１６を通じて制御装置１５に出力される。送電電圧は、変圧器１３ｂで変圧されかつＡ／Ｄ変換されて、電圧監視ライン１７を通じて制御装置１５に出力される。
【００１７】
電流監視ライン１６には、電流テスト端子（ＣＴＴ：Current Test Terminal）１６ａが接続され、電圧監視ライン１７には電圧テスト端子（ＶＴＴ：Voltage Test Terminal）１７ａが接続されている。
【００１８】
制御装置１５は、電流監視ライン１６を通じて、負荷３への送電電流の値を表す送電電流データを取得し、電圧監視ライン１７を通じて、負荷３への送電電圧の値を表す送電電圧データを取得する。
【００１９】
制御装置１５はまた、発電部１４の各所に取り付けられたセンサ群１４ａから検出データ１５ａを取得する。この検出データ１５ａは、例えば、エンジン１１の回転数等その稼働状態に依存する物理量、モータやファンやポンプといった発電部１４が備える補機、あるいは負荷送電ライン１３に接続される送電遮断器や制御リレーや保護継電器や補助継電器等の稼働状態に依存する物理量を表す。
【００２０】
以下、本実施形態では、これら送電電流データ、送電電圧データ、及び検出データ１５ａを、稼働状況データと総称する。
【００２１】
制御装置１５は、取得した稼働状況データに基づいて、発電部１４の発電動作等を制御するための制御信号１５ｂを発電部１４に出力する。制御信号１５ｂは、発電部１４を構成する複数の機器の各々への制御指令を総称したものであり、例えば、エンジン１１における燃料噴射弁の開度調整用アクチュエータへの制御指令や、負荷送電ライン１３に接続される継電器等への制御指令や、冷却水設備や排気設備への制御指令が含まれる。
【００２２】
制御装置１５はまた、無線通信回線２７ａを介して診断装置２０とデータ通信を行う機能を有している。そして、制御装置１５は、診断装置２０が行う後述する実稼働診断処理において、発電部１４を実稼働させる。そして、診断装置２０からの要求に応じ、発電部１４の実稼働中に取得した上記稼働状況データを、無線通信回線２７ａを通じて、診断装置２０に送信する。
【００２３】
制御装置１５はまた、診断装置２０が行う後述する模擬稼働診断処理において、発電部１４が停止している状態で、診断装置２０から、電流テスト端子１６ａを介して、上記送電電流データを模擬した模擬送電電流データを取得すると共に、電圧テスト端子１７ａを介して、上記送電電圧データを模擬した模擬送電電圧データを取得する。そして、模擬送電電流データ及び模擬送電電圧データを、発電機１２から負荷３への送電を表すものとみなして、発電部１４に対する制御内容を表す制御内容データを、通信回線２７ａを通じて診断装置２０に送信する。
【００２４】
次に、診断装置２０について説明する。診断装置２０は、記憶部２１、ＲＡＭ（Random Access Memory）２２、入力装置２３、表示装置２４、模擬電圧出力Ｉ／Ｆ２５、模擬電流出力Ｉ／Ｆ２６、通信Ｉ／Ｆ２７、及びＣＰＵ（Central Processing Unit）２８が、バス２９で接続された構成を有する。
【００２５】
記憶部２１は、ＨＤＤ（Hard Disk Drive）、フラッシュメモリ等の不揮発性の記憶媒体を含んで構成される。記憶部２１は、模擬電流データ２１ａ、模擬電圧データ２１ｂ、基準制御内容データ２１ｃ、制御動作診断プログラム２１ｄ、発電動作診断プログラム２１ｅ、成績データベース２１ｆの他、ＯＳ（Operating System）等を記憶する。
【００２６】
模擬電流データ２１ａ、模擬電圧データ２１ｂは、それぞれ負荷送電ライン１３を通じて負荷３に出力される送電電流、送電電圧を模擬したものである。これら模擬電流データ２１ａ及び模擬電圧データ２１ｂには、過去になされた後述する実稼働診断処理において発電装置１０から取得した稼働状況データであって、実稼働診断処理で健全と判断されたものが用いられる。即ち、模擬電流データ２１ａ及び模擬電圧データ２１ｂはそれぞれ過去に変流器１３ａ及び変圧器１３ｂを介して実際に出力された送電電流データ及び送電電圧データである。以下では、これら模擬電流データ２１ａ及び模擬電圧データ２１ｂを、模擬稼働状況データと総称する。
【００２７】
基準制御内容データ２１ｃは、模擬電流データ２１ａが表す送電電流、及び模擬電圧データ２１ｂが表す送電電圧が負荷３に出力されている場合に、制御装置１５が行うべき健全な制御内容を表す。
【００２８】
制御動作診断プログラム２１ｄは、制御装置１５を診断するための動作を規定する。発電動作診断プログラム２１ｅは、発電部１４を診断するための動作を規定する。成績データベース２１ｆには、制御装置１５の制御動作の健全性の診断結果、及び発電部１４の発電動作の健全性の診断結果の他、制御装置１５から取得した制御内容データや稼働状況データも格納される。
【００２９】
ＲＡＭ２２は、ＣＰＵ２８のメインメモリとして機能し、ＣＰＵ２８による上記プログラム２１ｄ及び２１ｅの実行に必要なデータや、制御装置１５から取得した各種データ等を一時的に記憶する。
【００３０】
入力装置２３は、キーボード、マウス、タブレット、タッチパネル等で構成される。オペレータが、診断の開始等をこの入力装置２３を用いてＣＰＵ２８に指示する。表示装置２４は、診断結果を表示出力する。
【００３１】
模擬電圧出力Ｉ／Ｆ２５は、模擬電圧波形送電ライン２５ａを通じて、発電装置１０の電圧テスト端子１７ａに接続される。模擬電流出力Ｉ／Ｆ２６は、模擬電流波形送電ライン２６ａを通じて、発電装置１０の電流テスト端子１６ａに接続される。
【００３２】
通信Ｉ／Ｆ２７は、送受信回路等を備えて構成され、無線通信回線２７ａを介した制御装置１５とのデータの送受信を担う。
【００３３】
ＣＰＵ２８は、バス２９に接続された各部の制御を司る。特に、ＣＰＵ２８は、記憶部２１に記憶された制御動作診断プログラム２１ｄを実行することにより、後述する模擬稼働診断処理を実現する。また、ＣＰＵ２８は、記憶部２１に記憶された発電動作診断プログラム２１ｅを実行することにより、後述する実稼働診断処理を実現する。
【００３４】
図２に、制御装置１５及び診断装置２０の外観図を示す。制御装置１５は、図１の発電部１４とは離れた位置に定置される操作盤１９内に備え付けられる。
【００３５】
診断装置２０は、その正面に、オペレータが各種処理の実行を指定するための操作ボタンや、各種計測値等をモニタ表示するタッチパネル２ｂを備える。タッチパネル２ｂは、図１の入力装置２３及び表示装置２４を構成する。また、診断装置２０は、模擬電流データ出力端子２ｃ、及び模擬電圧データ出力端子２ｄを備える。診断装置２０と制御装置１５とは、有線の模擬電圧波形送電ライン２５ａ及び模擬電流波形送電ライン２６ａ、並びに無線通信回線２７ａによって通信可能に接続される。
【００３６】
診断装置２０は、把手２ａを用いて持ち運び可能なように構成されており、オペレータは、診断装置２０を、操作盤１９が定置される管理室等に持ち込んで、操作盤１９を通じて、制御装置１５の動作の診断を行える。
【００３７】
なお、図２には、１台の操作盤１９のみを図示したが、例えば、複数の発電システム１００の各々に対応する複数の操作盤１９が、同じ管理室等に配置されていてもよい。オペレータは、共通の１台の診断装置２０を、各々の操作盤１９の制御装置１５と順次接続することで、それら複数の発電システム１００を１台の診断装置２０で診断できる。
【００３８】
図３を参照して、以下、診断装置２０が行う診断処理について説明する。診断処理には模擬稼働診断処理と実稼働診断処理とがあり、いずれを行うかはオペレータによって選択される。いずれの処理を行う場合も、無線通信回線２７ａを通じた制御装置１５と通信Ｉ／Ｆ２７との通信を予め確立しておく。
【００３９】
また、オペレータは、模擬稼働診断処理を行う場合、予め、模擬電圧波形送電ライン２５ａを電圧テスト端子１７ａに接続すると共に、模擬電流波形送電ライン２６ａを電流テスト端子１６ａに接続しておく。
【００４０】
ＣＰＵ２８は、オペレータによって入力装置２３を通じて模擬稼働診断処理の実行が指定されると（ステップＳ１１：模擬稼働診断処理）、制御動作診断プログラム２１ｄを実行することにより、以下のステップＳ１２〜Ｓ１６を行う。
【００４１】
まず、ＣＰＵ２８は、ＣＰＵ２８の処理負荷の軽減のため、通信Ｉ／Ｆ２７による通信速度を低速に設定する（ステップＳ１２）。そして、ＣＰＵ２８は、記憶部２１から模擬電流データ２１ａと、模擬電圧データ２１ｂとを読み出し、それぞれ模擬電流出力Ｉ／Ｆ２６、模擬電圧出力Ｉ／Ｆ２５を通じて、制御装置１５に送信する（ステップＳ１３）。
【００４２】
制御装置１５は、診断装置２０から送信された模擬電流データ２１ａ、模擬電圧データ２１ｂを、それぞれ送電ライン２６ａ、２５ａを通じて取得する。そして、制御装置１５は、模擬電流データ２１ａ、模擬電圧データ２１ｂを、発電部１４から負荷３への送電を表すものとみなして、発電部１４に対する制御内容を表す制御内容データを、無線通信回線２７ａを通じて診断装置２０に送信する。
【００４３】
ＣＰＵ２８は、制御装置１５から制御内容データを受信すると（ステップＳ１４）、その制御内容データを用いて制御装置１５による制御動作の健全性を診断する（ステップＳ１５）。制御装置１５の制御動作の健全性の診断は、制御装置１５から取得した制御内容データを、基準制御内容データ２１ｃと比較することにより行う。既述のように、基準制御内容データ２１ｃは、健全な制御動作を表すデータであるので、制御内容データが基準制御内容データ２１ｃと一致していれば、制御装置１５の制御動作が健全であると分かる。一方、両者が相違していれば、例えばその相違の程度によって制御装置１５の制御動作の異常の有無を判定できる。
【００４４】
制御内容データ及び基準制御内容データ２１ｃには、発電部１４を構成する複数の機器の各々への制御指令が含まれる。そこで、ＣＰＵ２８は、制御装置１５の制御動作の健全性の診断を、複数の診断項目について行うことができる。具体的には、ＣＰＵ２８は、制御装置１５の制御動作の健全性の診断を、複数の診断項目の各々について行い、診断項目別に、診断結果と対応付けて成績データベース２１ｆに格納する。診断項目としては、例えば、エンジン１１における燃料噴射弁の開度調整用アクチュエータに対する制御機能や、制御装置１５が模擬電流波形信号及び模擬電圧波形信号の値を正しく認識しているかを表す計測機能等が挙げられる。
【００４５】
オペレータが、１つ又は複数の所望の診断項目を、入力装置２３を通じて指定すると、ＣＰＵ２８は、その診断項目に対応する診断結果を成績データベース２１ｆから抽出し、成績書として表示装置２４に出力させる（ステップＳ１６）。図４に模式的に示すように、成績書として、模擬稼働診断処理か実稼働診断処理かの区別を表す診断種別４１ごとに、診断項目４２と診断結果４３とが対応付けられて表示出力される。
【００４６】
一方、ＣＰＵ２８は、オペレータによって入力装置２３を通じて、実稼働診断処理の実行が指定された場合（ステップＳ１１：実稼働診断処理）、発電動作診断プログラム２１ｅを実行することにより、以下のステップＳ１７〜Ｓ２１を行う。
【００４７】
まず、ＣＰＵ２８は、実稼働診断処理を迅速に行うために、通信Ｉ／Ｆ２７による通信速度を、ステップＳ１２で設定する通信速度よりも高速に設定する（ステップＳ１７）。次に、ＣＰＵ２８は、無線通信回線２７ａを通じて制御装置１５に、発電部１４を実稼働させることを指示する（ステップＳ１８）。制御装置１５は、診断装置２０からの指示に従い、発電部１４を実稼働させる。
【００４８】
次に、ＣＰＵ２８は、発電部１４が稼働中に、制御装置１５から稼働状況データを受信する（ステップＳ１９）。そして、ＣＰＵ２８は、受信した稼働状況データを用いて発電部１４の発電動作の健全性を診断する（ステップＳ２０）。発電部１４の発電動作の健全性の診断は、稼働状況データを、予め登録しておいた正常状態の基準データと比較することにより行う。ＣＰＵ２８は、発電部１４の発電動作の健全性の診断を、複数の診断項目の各々について行い、診断項目別に診断結果と対応付けて成績データベース２１ｆに格納する。
【００４９】
オペレータが、１つ又は複数の所望の診断項目を、入力装置２３を通じて指定すると、ＣＰＵ２８は、その診断項目に対応する診断結果を成績データベース２１ｆから抽出し、成績書として表示装置２４に出力させる（ステップＳ２１）。
【００５０】
以上説明したように、本実施形態の診断装置２０によれば、次の効果が得られる。
【００５１】
（１）診断装置２０が模擬稼働状況データを制御装置１５に出力し、制御装置１５が模擬稼働状況データに応じた制御内容データを診断装置２０に出力するので、発電部１４を実稼働させることなく、制御装置１５の制御動作の健全性を診断することができる。このため、制御装置１５の診断に際し、発電用燃料の消費、排煙、又は騒音等の問題が生じることはない。従って、発電装置１０の診断の頻度を高めることができ、発電装置１０の信頼性を高めることができる。
【００５２】
（２）模擬稼働状況データとして、過去に実際に発電装置１０から出力された稼働状況データを用いるので、オペレータが模擬稼働状況データを作成する必要はなく、しかも現実の稼働状況データそのものに即した模擬稼働診断処理の実現が可能となる。
【００５３】
（３）診断装置２０が、模擬稼働診断処理を行う場合に、実稼働診断処理を行う場合よりも、無線通信回線２７ａを通じた制御装置１５との間の通信速度を低速に設定する。このため、診断装置２０のＣＰＵ２８の処理負担の増大を抑えることができる。
【００５４】
この点について説明する。実稼働診断処理を実行する場合、ＣＰＵ２８は制御装置１５からデータを受信する制御と、受信したデータを用いた診断とを行えばよいが、模擬稼働診断処理を実行する場合は、これに加えて、制御装置１５に対する模擬稼働状況データを送信する制御も行わねばならない。そこで、模擬稼働診断処理を行う場合は、実稼働診断処理を行う場合よりも、制御装置１５との間の通信速度を低速に設定することで、ＣＰＵ２８が行う単位時間あたりの処理負担の増大を抑えることができる。
【００５５】
このため、例えば、特許文献１〜４に開示される既存の診断装置に、上記模擬稼働診断処理の機能を追加する場合、既存の診断装置におけるＣＰＵ２８に対する要求性能を上げずに済み、本実施形態の診断装置２０の実現に要するコストを抑えることができる。
【００５６】
（４）模擬稼働状況データとして、エンジン１１や発電機１２の種別や製造メーカ等に依存してフォーマットが異なるデータを用いるのではなく、電流データ及び電圧データを用いたので、汎用性の高い診断装置２０が実現される。即ち、電流データ及び電圧データは、例えば、エンジン１１の種類や製造メーカ等が異なる複数種の発電装置１０に対しても、共通して使い回しすることができる。このため、共通の模擬稼働状況データを用いながら、１台の診断装置２０で複数種の発電装置１０の診断に対応できる。
【００５７】
（５）診断装置２０において、制御装置１５の制御動作の健全性の診断、及び発電部１４の発電動作の診断が、複数の診断項目についてなされ、診断項目別に、診断結果と対応付けられる成績データベース２１ｆをＣＰＵ２８が作成するので、オペレータが所望する診断項目に対する診断結果を、成績書として出力することが可能となる等、利便性を提供することができる。
【００５８】
以上、一実施形態について説明したが、本発明はこれに限られない。
【００５９】
例えば、診断装置２０は、模擬稼働診断処理を行う場合に、実稼働診断処理を行う場合よりも、無線通信回線２７ａを通じた制御装置１５との間の通信速度を高速に設定してもよい。その場合には、模擬稼働診断処理を、実稼働診断処理よりも迅速に行える。即ち、模擬稼働診断処理では、発電部１４が実際に稼働する必要がないため、診断に要する時間は、制御装置１５及び診断装置２０の処理能力の範囲内で、任意に短縮化することができる。
【００６０】
上記実施形態において、模擬稼働診断処理に際し、予め記憶部２１に準備しておく基準制御内容データ２１ｃは、予めユーザによって作成されたものであってもよいし、過去に制御装置１５が実際に出力したものであってもよい。また、診断装置２０が基準制御内容データ２１ｃを作成する機能を有していてもよい。具体的には、診断装置２０の記憶部２１に、制御装置１５が行う健全な制御をシミュレーションする制御プログラムが記憶されていてもよい。
【００６１】
上記実施形態では、模擬稼働状況データとして、過去に実際に発電装置１０から出力された稼働状況データを用いたが、診断装置２０が模擬稼働状況データを作成する機能を有していてもよい。模擬稼働状況データの作成は、例えば、公知のシミュレーション方法を用いて行うことができる。さらに、診断装置２０は、作成した模擬稼働状況データに対して、上記制御プログラムにより、基準制御内容データ２１ｃを作成する機能を有していてもよい。
【００６２】
上記実施形態では、理解を容易にするために、模擬電流データ２１ａ、模擬電圧データ２１ｂ、及び基準制御内容データ２１ｃの組み合わせを１組のみ示したが、模擬電流データ、模擬電圧データ、及び基準制御内容データの組み合わせを複数組用いてもよい。模擬電流データ、模擬電圧データ、及び基準制御内容データの或る組み合わせを用いて制御装置１５の診断を行った後、模擬電流データ、模擬電圧データ、及び基準制御内容データの別の組み合わせを用いて、再び制御装置１５の診断を行ってもよい。
【００６３】
また、診断装置２０の動作を規定するプログラムを既存のパーソナルコンピュータや情報端末機器等にインストールすることで、パーソナルコンピュータや情報端末機器等を診断装置２０として機能させることもできる。このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカード等のコンピュータ読み取り可能な記録媒体に格納して配布してもよいし、インターネット等の通信ネットワークを介して配布してもよい。
【００６４】
上記実施形態では、模擬稼働状況データにデジタルデータを用いたが、アナログデータを用いてもよい。上記実施形態では、診断装置２０と制御装置１５との間で、模擬稼働状況データを有線である模擬電圧波形送電ライン２５ａ及び模擬電流波形送電ライン２６ａで送信し、制御内容データ及び稼働状況データを無線通信回線２７ａで受信したが、各データの送受信は有線でも無線でも行うことができる。上記実施形態では、発電機１２を駆動する駆動機にエンジン１１を用いたが、エンジンに限らずガスタービンその他の内燃機関を用いてもよい。
【符号の説明】
【００６５】
１０  発電装置、２０  診断装置、３  負荷、１１  エンジン、１２  発電機、１３  負荷送電ライン、１４  発電部、１４ａ  センサ群、１５  制御装置、１５ａ  検出データ、１６  電流監視ライン、１７  電圧監視ライン、１８  停電検知器、１９  操作盤、２１  記憶部、２１ａ  模擬電流データ、２１ｂ  模擬電圧データ、２１ｃ  基準制御内容データ、２１ｄ  制御動作診断プログラム、２１ｅ  発電動作診断プログラム、２１ｆ  成績データベース、２２  ＲＡＭ、２３  入力装置、２４  表示装置、２５  模擬電圧出力インタフェース、２５ａ  模擬電圧波形送電ライン、２６  模擬電流出力インタフェース、２６ａ  模擬電流波形送電ライン、２７  通信インタフェース、２７ａ  無線通信回線、２８  ＣＰＵ、２９  バス、１００  発電システム。
【図１】
0006541420.tif 000002
【図２】
0006541420.tif 000003
【図３】
0006541420.tif 000004
【図４】
0006541420.tif 000005